(57)【要約】【課題】ハンドルの回転操作による復帰力の切換えレバーへの効率的な伝達が可能であると共に、リール本体の小型化が図れる魚釣用スピニングリールを提供する。【解決手段】本発明の魚釣用スピニングリールは、釣糸が巻回されるスプール３と、ハンドル５の巻取り操作で回転する駆動歯車７と噛合するピニオンギヤ９を介して回転可能であり、釣糸案内部を介してスプール３に釣糸を巻回案内するロータ２と、スプール３の回転を規制する規制状態とスプールフリーにするフリー状態とに切換え操作可能な切換えレバー３１を備えた切換機構３０と、スプールフリー状態にある切換機構３０を、ハンドル５の巻取り操作によって規制状態に復帰させる復帰機構６０とを有する。そして、復帰機構６０は、駆動歯車７を有するハンドル軸４に対してオフセットした位置に支持されたキック部材７１を有する。【選択図】図１
2008199979.tif 000002
【特許請求の範囲】
【請求項１】
リール本体の前部に設けられ、釣糸が巻回されるスプールと、
前記リール本体に回転自在に支持されたハンドルの巻取り操作で回転する駆動歯車と噛合するピニオンギヤを介して回転可能であり、釣糸案内部を介して前記スプールに釣糸を巻回案内するロータと、
前記スプールの回転を規制する規制状態とスプールフリーにするフリー状態とに切換え操作可能な操作部材を備えた切換機構と、
スプールフリー状態にある前記切換機構を、前記ハンドルの巻取り操作によって規制状態に復帰させる復帰機構と、
を有する魚釣用スピニングリールにおいて、
前記復帰機構は、前記駆動歯車を有する駆動軸に対してオフセットした位置に支持されたキック部材を有することを特徴とする魚釣用スピニングリール。
【発明の詳細な説明】
【技術分野】
【０００１】
本発明は、スプールに回転抵抗を与えるドラグ機構を、作動状態と非作動状態とに切換える切換え機構を備えた魚釣用スピニングリールに関する。
【背景技術】
【０００２】
魚釣用スピニングリールの中には、リール本体内に、スプールに回転抵抗を与えるドラグ機構を、作動状態（スプールに対してドラグ力が作用する状態）と、非作動状態（スプールが完全にフリーになる状態とサブドラグ機構によってドラグ力が作用する状態を含む）とに切換える切換機構を備えたものが知られている。例えば、特許文献１には、リール本体の上部の前後方向に向けて回動可能に支持した切換えレバーを操作することで、ドラグ機構を作動状態／非作動状態に切換操作できる魚釣用スピニングリールが開示されている。そして、このような切換機構には、ハンドルを巻取り操作した際、非作動状態から作動状態に自動的に復帰できる復帰機構が係合している。
【０００３】
上記した特許文献１に開示されている復帰機構は、ハンドル軸に装着される駆動歯車（フェースギヤ）の反歯面側と、リール本体を構成する蓋板側のスペースに設置されているため、リール本体が大型化してしまうという問題があった。
【０００４】
そこで、このような問題を解決するために、特許文献２には、ハンドル軸の端部（フェースギヤの歯面側）にカムホイールを固定し、復帰機構をフェースギヤから離れた位置（フェースギヤ歯面側のハンドル軸端部の比較的空いたスペース）に設置してリール本体の小型化が図れる魚釣用スピニングリールが開示されている。
【特許文献１】特公平６−９７９３３号
【特許文献２】特許第３５４２２８４号
【発明の開示】
【発明が解決しようとする課題】
【０００５】
ところで、復帰機構は、一般的に、ハンドルの巻取り操作によって、自動的に切換えレバーを初期位置（ドラグ機構の作動状態位置）に復帰させる機構であり、ハンドルの巻取り操作によってその巻取り操作と共に回転する部材（キック部材）を係合部材に当て付けて（キックする）、切換えレバーを初期位置に戻す構成である。
【０００６】
上記した特許文献２に開示されている復帰機構においは、前記ハンドルの回転力（切換えレバーの復帰力）は、ハンドル軸の端部に固定されるカムホイール４２、第２トグルばね６０によって付勢された揺動可能なカムフォロワ（係合部材）５８、第２レバー５３等を介して、切換えレバー４５に支持されると共に、スプール軸上のロックリングへの係脱制御を行う第１レバー５２に伝達する構成となっている。
【０００７】
このため、切換えレバーに至る動力伝達経路において、複数の部材の結合部、及び各部材の支持部におけるガタ付き等の影響が生じてしまい、ハンドルの回転力を効率良く伝達できないと共に、作動不良が生じ易いという問題がある。また、リール本体内の各部材の装着スペース確保のために、省スペース化が困難でリール本体の小型化に限界がある、等の問題がある。
【０００８】
本発明は、上記した問題に基づいてなされたものであり、ハンドルの回転操作による復帰力の切換えレバーへの効率的な伝達が可能であると共に、リール本体の小型化が図れる魚釣用スピニングリールを提供することを目的とする。
【課題を解決するための手段】
【０００９】
上記した目的を達成するために、本発明に係る魚釣用スピニングリールは、リール本体の前部に設けられ、釣糸が巻回されるスプールと、前記リール本体に回転自在に支持されたハンドルの巻取り操作で回転する駆動歯車と噛合するピニオンギヤを介して回転可能であり、釣糸案内部を介して前記スプールに釣糸を巻回案内するロータと、前記スプールの回転を規制する規制状態とスプールフリーにするフリー状態とに切換え操作可能な操作部材を備えた切換機構と、スプールフリー状態にある前記切換機構を、前記ハンドルの巻取り操作によって規制状態に復帰させる復帰機構と、を有しており、前記復帰機構は、前記駆動歯車を有する駆動軸に対してオフセットした位置に支持されたキック部材を有することを特徴とする。
【００１０】
上記した構成における魚釣用スピニングリールでは、復帰機構を構成するキック部材を、ハンドルの回転によって回転駆動される駆動歯車が装着された駆動軸に対して、オフセットした位置に支持することで、ドラグ機構を切換制御する作動部への連結経路が短くなるか、或いは、直接に作動部と連結できるため、ハンドル回転による復帰力の、作動部に対する効率的な伝達が可能となり、切換え・復帰の作動の安定化が図れる。
【発明の効果】
【００１１】
本発明によれば、ハンドルの回転操作による復帰力の切換えレバーへの効率的な伝達が可能な魚釣用スピニングリールが得られる。
【発明を実施するための最良の形態】
【００１２】
以下、本発明に係る魚釣用スピニングリールの実施形態について、添付図面を参照して具体的に説明する。
【００１３】
図１から図７は、本発明の一実施形態を示す図であり、図１は、魚釣用スピニングリールの内部構成を示す図（ドラグ作動状態；切換えレバーＯＮ）、図２は、図１の主要部を拡大した図（ドラグ非作動状態；切換えレバーＯＦＦ）、図３は、リール本体を上方から見た部分断面図、図４は、図２のＡ−Ａ線に沿った拡大断面図、図５は、図１のＢ−Ｂ方向に沿った部分断面図、図６（ａ），（ｂ）は、復帰機構の作用を説明する図、そして、図７は、図１のＣ−Ｃ線に沿った断面図である。
【００１４】
魚釣用スピニングリールのリール本体１には、釣竿に装着されるリール脚１Ａが一体形成されており、その前方には、釣糸案内部（図示せず）を備え、回転可能に支持されたロータ２と、ロータ２の回転運動と同期して前後動可能に支持され、釣り糸が巻回されるスプール３が配設されている。
【００１５】
リール本体１内には、ハンドル軸（駆動軸）４が回転可能に支持されており、その突出端部には、ハンドル５が取り付けられている。また、ハンドル軸４には、巻取り駆動機構が係合しており、この巻取り駆動機構は、ハンドル軸４に取り付けられ、内歯が形成された駆動歯車（フェースギヤ）７と、この駆動歯車７に噛合すると共にハンドル軸４と直交する方向に延出し、内部に軸方向に延出する空洞部が形成されたピニオン９とを備えている。
【００１６】
なお、本実施形態では、図５に示すように、ハンドル５は、左右両側に装着可能となっており、公知のように、その突設した外周非円形の軸５ａが、フェースギヤ７と一体化された空洞軸に回り止め嵌入された構成となっている。ここでは、そのようなフェースギヤ７が一体化されて軸５ａと一体回転する内周非円形の空洞軸をハンドル軸（駆動軸）４と称する。
【００１７】
前記ピニオン９は、軸受９ａを介してリール本体内に回転可能に支持されており、前記ロータ２を一体回転するように連結されている。そして、その空洞部には、ハンドル軸４と直交する方向に延出し、先端側に前記スプール３を装着したスプール軸３ａが軸方向に移動可能に挿通されている。また、前記ピニオン９には、スプール３（スプール軸３ａ）を前後往復動させるための公知の往復動装置１０が係合している。
【００１８】
前記往復動装置１０は、リール本体内に回転可能に支持され、スプール軸３ａと平行に延出する螺軸（ウォームシャフト）１２と、前記スプール軸３ａの後部に回転可能で軸方向移動不能に係合される摺動体１３とを備えている。前記螺軸１２の端部には、前記ピニオン９と噛合するオシレートギヤ１５が設けられており、前記ハンドル５を回転操作することで、螺軸１２は、前記駆動歯車７、ピニオン９及びオシレートギヤ１５を介して回転駆動される。そして、前記螺軸１２の周面には、軸方向に沿って螺旋状のカム溝１２ａが形成されており、このカム溝１２ａに、前記摺動体１３に収容保持された係合ピン（図示せず）が係合することで、スプール軸３ａ（スプール３）は、ハンドル５の巻取り操作により前後に往復動される。
【００１９】
上記した構成により、ハンドル５を巻取り操作すると、ロータ２は、駆動歯車７及びピニオン９を介して回転駆動され、かつ、スプール３は、駆動歯車７、ピニオン９及び往復動装置１０を介して前後方向に往復駆動され、スプール３には、回転するロータ２の釣糸案内部を介して均等に釣り糸が巻回される。
【００２０】
前記スプール３とスプール軸３ａとの間には、図示しないスプールの回転に制動力を付与する公知のドラグ機構（フロントドラグ機構）１７が設置されている。また、スプール軸３ａの後端側には、サブドラグ機構２０が設置されており、後述する切換機構によって、スプール３がフリー状態（スプール軸３ａがフリーに回転する状態）になったとき、補助的にスプール軸３ａに対して制動力（ドラグ力）を付与できるようになっている。
【００２１】
具体的には、前記サブドラグ機構２０は、リール本体１の後端部に突出形成された円筒部１ａに対して回転操作される調節ネジ２１と、調節ネジ２１の回転操作に伴う軸方向の移動により、押圧バネ２２を介して所定の制動力を付与可能にする制動部材２３とを備えている。前記スプール軸３ａの後端側には、スプール軸３ａの後部の非円形部を軸方向移動不能に回り止め嵌合した状態で挿通させるカラー２４が配置されており、前記制動部材２３は、リール本体１及びカラー２４との間で制動力を作用させ、スプール軸３ａが切換機構によってフリー回転可能な状態になったときでも、調節ネジ２１を回転操作することで、スプール３の回転に補助的に制動力を作用させることが可能となっている。
【００２２】
前記リール本体１内には、スプール３の回転を規制する規制状態とスプールフリーにするフリー状態とに切換える切換機構３０、及びスプールフリー状態にある切換機構３０をハンドル５の巻取り操作によって規制状態に復帰させる復帰機構６０が設けられている。以下、これらの機構について説明する。なお、本実施形態における「スプールの規制状態」とは、スプール軸３ａの回転が阻止されて、スプール軸３ａとドラグ機構１７との間で所望のドラグ力が作用する状態やスプールロック状態を意味し、「スプールフリー状態」とは、スプール軸３ａが自由回転状態になったことを意味する。従って、スプールフリー状態には、サブドラグ機構２０によって、スプールに対して小さな回転抵抗が加わった状態を含む。
【００２３】
前記切換機構３０は、リール本体１から外部に突出し、回動操作可能な切換レバー（操作部材）３１と、リール本体１内に配設され、切換レバー３１によって回動駆動され、以下のように、２つの部材３２Ａ，３２Ｂで構成される作動体３２と、作動体３２の一端側に係合するストッパ部材３４とを備えている。
【００２４】
前記作動体３２は、支軸となる固定ネジ３１ａを中心に揺動可能に配置される作動プレート３２Ａと、この作動プレート３２Ａと同軸上で駆動歯車側に重なるように回動可能に設置され、後述するキック部材７１の回転軌跡内に入り込むことが可能なキック側プレート３２Ｂとを備えている。
【００２５】
両プレート３２Ａ，３２Ｂの中心支持領域には、フリクションバネ３２Ｃが巻き付くように設置されており、切換えレバー３１が図１に示す位置から矢印方向に回動された際、作動プレート３２Ａの時計回り方向の回動に伴って、キック側プレート３２Ｂも一体的に時計回り方向に回動させるようになっている。すなわち、切換えレバー３１を、図１に示す位置から矢印方向に回動操作することで、図２で示すように、キック側プレート３２Ｂの当接部３２ｅの側部は、作動プレート３２Ａの壁部３２Ａ´に当接されて一体的に回動され、先端の係合部３２ｄは、図２に示すように、キック部材７１の突部７１ａの回転軌跡内に入り込むようになっている。なお、フリクションバネ３２Ｃは、当接部３２ｅの側部が壁部３２Ａ´に常時当接方向に付勢している。
【００２６】
また、キック側プレート３２Ｂの固定ネジ３１ａを中心として、係合部３２ｄと反対側には、当接部３２ｅが形成されており、切換えレバー３１が回動操作されることで、支軸３８によって回動可能に支持されたストッパ部材３４の当接部３４ａに当接するようになっている。なお、作動体３２の回動動作は、作動プレート３２Ａとリール本体１との間に設置される振り分けバネ３７によって、図１に示す切換えレバーＯＮ状態と、図２に示す切換えレバーＯＦＦ状態に振り分け保持される。
【００２７】
前記切換レバー３１は、図３に示すように、リール本体１の上方側を挟持するように配設され、基端部の両側から一対の固定ネジ３１ａによって回動可能に支持されている。前記一対の固定ネジ３１ａは、両サイドからリール本体内に向けて挿入されており、作動体３２に連結されている。
【００２８】
前記作動体３２のキック側プレート３２Ｂの当接部３２ｅによって回動駆動される前記ストッパ部材３４は、支軸３８を中心として回動可能に軸支されており、一端側に前記当接部３２ｅが当接する当接部３４ａが形成され、他端側に、スプール軸３ａに対して回り止め固定されたラチェット３ｂに対して係脱される係脱部３４ｂが形成されている（図１、図２、図７参照）。
【００２９】
なお、ストッパ部材３４は、支軸３８に装着されるスプリング３８ａによって、係脱部３４ｂが常時、ラチェット３ｂと係合するように付勢されており、前記切換レバー３１をＯＦＦ状態に回動することで、前記作動体３２によって、スプリング３８ａの付勢力に抗して回動され、ラチェット３ｂから離脱する（図２参照）。
【００３０】
そして、上記した切換機構３０によって、スプールフリー状態に切換えられた切換えレバー３１は、復帰機構６０によって、図１に示す状態に復帰される。以下、この復帰機構６０の構成について説明する。
【００３１】
本実施形態における復帰機構６０は、ハンドル軸４に対してオフセットした位置に設置されたキック部材７１を具備している。具体的には、ハンドル軸４には、駆動歯車７の歯面と対向する位置に、ギヤ４Ａが一体回転可能に取り付けられており、このギヤ４Ａに、復帰機構６０を構成するキック部材７１が装着された連結ギヤ６５を噛合させている。
【００３２】
この場合、連結ギヤ６５は、リール本体１に対して回転可能に支持されており、キック部材７１は、連結ギヤ６５の中心部分において、付勢スプリング７７によって回転方向に付勢された状態で、所定角度回転可能に支持されている。このため、キック部材７１によってキックされる係合部材（キック側プレート３２Ｂの係合部３２ｄ）は、デッドポイントが生じることなく、キック部材７１の回転軌跡内に入り込むことが可能となる。
【００３３】
前記連結ギヤ６５の駆動歯車側表面には、駆動歯車７側に向けて突出する弧状の膨出壁６５ａが一体形成されている。また、この膨出壁６５ａの表面には、更に弧状になって部分的に駆動歯車側に膨出する突領域６５ｂが一体形成されている（突領域６５ｂは膨出壁６５ａよりも高く形成されている）。
【００３４】
そして、上記したように構成される連結ギヤ６５には、連結ギヤ６５の中心を回転中心として所定角度回転可能となるようにキック部材７１が配設される。このキック部材７１は、連結ギヤ６５の回転中心に、固定ネジ７３を介してリール本体１に圧入固定されるカラー部材７４上に回転可能に設置されており、固定ネジ７３を中心として直径方向に延出した形状になっている。この場合、キック部材７１の一端側には、駆動歯車７側に向けて突出する突部７１ａが形成されており、この突部７１ａの下縁部７１ａ´が前記したキック側プレート３２Ｂの係合部３２ｄと係合可能になっている。
【００３５】
また、キック部材７１の他端側７１ｂは、そのまま直径方向に延出しており、その上縁部７１ｂ´が、上記した連結ギヤ６５に形成されている突領域６５ｂの端縁６５ｃに当接している。なお、前記カラー部材７４には、付勢スプリング７７が巻回されており、その一端は上記した突領域６５ｂの端縁６５ｄの下方側に当て付けられ、かつ他端は、前記突部７１ａの基部に係止されて、キック部材７１を、図２で示す時計回り方向（回転方向）に常時付勢している。これにより、キック部材７１は、カラー部材７４の周りを、所定の角度で回転可能であると共に、付勢スプリング７７によって回転方向に付勢された状態で支持されている。
【００３６】
上記したように構成されるキック部材７１は、前記ギヤ４Ａがハンドルの巻取り操作によって回転駆動された際（図２において、反時計回り方向に回転する）、連結ギヤ６５と共に時計回り方向に回転駆動される。
【００３７】
このようなキック部材７１の回転により、前記突部７１ａも所定の回転軌跡をもって回転するが、その回転軌跡内に、上述したように、突部７１ａによってキックされるキック側プレート３２Ｂの係合部３２ｄが入り込むようになっている。
【００３８】
以上のように構成される魚釣用スピニングリールの作用について説明する。
【００３９】
最初、図１に示すように切換機構３０がＯＮの状態となっている。この状態では、ストッパ部材３４は、ラチェット３ｂに係合しているため、スプール軸３ａは固定状態となっており、スプール３には、フロントドラグ機構１７を介して所望のドラグ力が作用した状態となる。
【００４０】
図１に示す状態から切換えレバー３１を矢印方向に回動操作すると、作動体３２を構成する作動プレート３２Ａは、固定ネジ３１ａを中心として時計回り方向に回動し、これに伴い、キック側プレート３２Ｂも時計回り方向に回動され、先端の係合部３２ｄは、図２に示すように、突部７１ａの回転軌跡内に入り込む。
【００４１】
このとき、前記したキック部材７１が、どの位置にあっても、係合部３２ｄは、デッドポイントを生じさせることなく、回転軌跡内に入り込むことが可能となっている。すなわち、仮に、切換えレバー３１の回動操作時に、係合部３２ｄがキック部材７１（突部７１ａ）に干渉するような位置にあったとしても、係合部３２ｄが回動することでキック部材７１は、カラー部材７４の周りを、付勢スプリング７７の付勢力に抗して反時計回り方向に回転させることが可能であるため、デッドポイントを生じさせることはない。
【００４２】
また、キック側プレート３２Ｂの時計回り方向への回動により、当接部３２ｅは、ストッパ部材３４の当接部３４ａに当接し、ストッパ部材３４をスプリング３８ａの付勢力に抗して反時計回り方向に回動させる。これにより、他端に形成された係脱部３４ｂは、スプール軸３ａに対して回り止め固定されたラチェット３ｂから離脱し、スプール軸３ａは、フリー回転可能な状態になる。
【００４３】
この状態で、スプール３は完全なフリー状態となるため、魚が掛かった際、そのまま釣糸を引き出して行くことが可能となる。なお、この状態では、上記したサブドラグ機構２０の調節ネジ２１を回転操作することで、スプール３の回転に対して補助的にドラグ力を作用させることが可能となっている。
【００４４】
ここで、上記した切換えレバー３１が、図２に示すように、ＯＦＦにされた状態において、ロータ２が逆転可能状態に設定されていると、魚が掛かった場合など、ハンドル軸４は、図２において、時計回り方向に回転してしまう。このとき、キック部材７１の突部７１ａは、ギヤ４Ａ及び連結ギヤ６５の噛合関係により反時計回り方向に回転して、キック側プレート３２Ｂに当て付き、キック側プレート３２Ｂを、固定ネジ３１ａを中心として時計回り方向に回動させようとする。上記したように、キック側プレート３２Ｂは、フリクションバネ３２Ｃの摩擦力によって、作動プレート３２Ａに対して逃げることが可能となっているため、切換機構３０や復帰機構６０を損傷させるようなことがない。
【００４５】
そして、図２に示す状態において、ハンドル５を巻取り操作すると、ギヤ４Ａは反時計回り方向に回転し、連結ギヤ６５は、時計回り方向に回転する。これに伴い、図６（ａ）に示すように、キック部材７１の突部７１ａは、キック側プレート３２Ｂの係合部３２ｄに当て付き、さらに、連結ギヤ６５の時計回り方向の回転により、前記連結ギヤ６５に形成された突領域６５ｂの端縁６５ｄが、図６（ｂ）に示すように、付勢スプリング７７の付勢力に抗してキック部材７１の突部７１ａの上縁部７１ａ´´に当接し、これにより、キック側プレート３２Ｂを反時計回り方向に回転させる。
【００４６】
このキック側プレート３２Ｂの回動は、フリクションバネ３２Ｃを介して作動プレート３２Ａに伝達され、切換えレバー３１を、固定ネジ３１ａを介して反時計回り方向に回動させ、図１に示す状態に自動的に復帰させる。これにより、ストッパ部材３４は、スプリング３８ａによって時計回り方向に回動され、係脱部３４ｂがラチェット３ｂと係合し、再び、スプール３の回転が規制される規制状態に切換えられる。
【００４７】
上記した構成における魚釣用スピニングリールでは、復帰機構６０を構成する復帰用のキック部材７１を、駆動歯車７を有するハンドル軸４に対してオフセットする位置に支持したことで、ドラグ機構を切換操作する切換えレバー３１の作動部３２に対する配置を近接化することが可能となり（作動部３２に直接係合可能な配置態様）、伝達機構の簡略化が図れると共に、ハンドル回転による復帰力の効率的な動力伝達が可能となり、切換え／復帰の作動が安定する。
【００４８】
また、本実施形態では、キック部材７１を、連結ギヤ６５の中心部分において、回転方向にバネ付勢した状態で支持した構成としているため、いわゆるノンデッド機構を構成する部品を、回転部材である連結ギヤ６５の支持部上に集約して配置することができ、これにより、ノンデッド機構の可及的な省スペース化が可能となって、リール本体１を小型化することが可能となる。
【００４９】
なお、上記した構成では、キック部材７１は、連結ギヤ６５の中心部分において、リール本体１に対して固定ネジ７３を介して圧入固定されるカラー部材７４上に、所定角度回転可能で、かつ付勢スプリング７７によって、回転方向にバネ付勢されるように支持したが、図８及び図９に示すように、キック部材７１は、連結ギヤ６５に対して所定角度回転可能で、両者の間に設置される付勢スプリング７７によって、回転方向にバネ付勢される構成であっても良い。具体的には、リール本体１にカラー部材７４Ａを、固定ネジ７３を介して圧入固定しておき、この外周部分に連結ギヤ６５、及びキック部材７１を配置する。そして、連結ギヤに形成される突起６５Ａと、キック部材７１に形成される突起との間に付勢スプリング７７を介在し、キック部材７１を回転方向に付勢するようにしても良い。
【００５０】
このように、キック部材７１については、ハンドルの巻取り操作によって駆動される駆動歯車を有する駆動軸に対して、オフセットした位置に設置される回転体となる連結ギヤ６５に対して、直接、支持するように構成することが可能である。
【００５１】
以上、本発明の実施形態について説明したが、本発明は、上記した実施形態に限定されることはなく、種々変形することが可能である。
【００５２】
本発明は、魚釣用スピニングリールにおいて、ドラグ作動状態と非作動状態を切換える切換機構の内、ハンドルの巻取り操作によって、初期位置に自動復帰させる復帰機構６０のキック部材を、ハンドルの巻取り操作によって駆動される駆動歯車を有する駆動軸に対して、オフセットした位置に設置することに特徴があり、それ以外の構成については、適宜変形することが可能である。例えば、オフセットさせる位置については、リール本体１内のスペースを考慮し、ハンドル軸に装着されるギヤの位置に応じて適宜変形することが可能である。また、本発明は、例えば、リヤドラグ方式の魚釣用スピニングリールについても適用することが可能である。
【図面の簡単な説明】
【００５３】
【図１】本発明の一実施形態を示す図であり、魚釣用スピニングリールの内部構成を示す図（ドラグ作動状態；切換えレバーＯＮ）。
【図２】図１の主要部を拡大した図（ドラグ非作動状態；切換えレバーＯＦＦ）。
【図３】リール本体を上方から見た部分断面図。
【図４】図２のＡ−Ａ線に沿った断面図。
【図５】図１のＢ−Ｂ方向に沿った部分断面図。
【図６】（ａ），（ｂ）は、復帰機構の作用を説明する図。
【図７】図１のＣ−Ｃ方向に沿った部分断面図。
【図８】上記の実施形態の変形例を示す図であり、リール本体を上方から見た部分断面図。
【図９】図８の主要部の拡大図。
【符号の説明】
【００５４】
１  リール本体
２  ロータ
３  スプール
４  ハンドル軸（駆動軸）
５  ハンドル
７  駆動歯車
９  ピニオンギヤ
１７  ドラグ機構
２０  サブドラグ機構
３０  切換機構
３２  切換えレバー
６０  復帰機構
７１  キック部材
【図１】
2008199979.tif 000003
【図２】
2008199979.tif 000004
【図３】
2008199979.tif 000005
【図４】
2008199979.tif 000006
【図５】
2008199979.tif 000007
【図６】
2008199979.tif 000008
【図７】
2008199979.tif 000009
【図８】
2008199979.tif 000010
【図９】
2008199979.tif 000011